(57)【要約】      （修正有）【課題】使用済みのペットボトルを植木鉢として利用することができるペットボトル保持具を提供する。【解決手段】複数個のペットボトル２１を一体的になるように保持することによって、植木鉢として安定的に設置することができるペットボトル保持具４であって、ペットボトルの胴のくびれ部を挟んで保持するような形状の保持指部４ａを３組以上放射状に外方に向けて形成した。また、このペットボトル保持具４の中心部にペットボトルの肩部２ｓが当たって止まり支持する形状の開穴４ｈをあけた。【選択図】図１
0003173587.tif 000002
【実用新案登録請求の範囲】
【請求項１】
複数個のペットボトルを一体的になるように保持することによって、植木鉢として安定的に設置することができるようにしたペットボトル保持具であって、ペットボトルの胴のくびれ部を人の手指で挟んで保持するような形状の保持指部４ａを複数組（３組以上）放射状に外方に向けて形成したことを特徴とするペットボトル保持具。
【請求項２】
複数個のペットボトルを一体的になるように保持することによって、植木鉢として安定的に設置することができるようにしたペットボトル保持具であって、ペットボトルの胴のくびれ部を人の手指で挟んで保持するような形状の保持指部４ａを複数組（３組以上）放射状に外方に向けて形成し、かつ、このペットボトル保持具４の中心部にペットボトルの肩部が当たって止まり支持することができる形状の開穴４ｈをあけたことを特徴とするペットボトル保持具。
【考案の詳細な説明】
【技術分野】
【０００１】
この考案は、使用済みのペットボトルを、植木鉢として再利用するために用いるペットボトル保持具に関するものである。なお、この考案におけるペットボトルとは、合成樹脂ポリエチレンテレフタレート（ＰＥＴ）で作られた瓶状の容器であり、飲料水、スポーツドリンク、お茶類などの容器として用いられたものである。
【背景技術】
【０００２】
従来、使用済みのペットボトルを植木鉢として再利用するには、ペットボトルの胴部を切断し、下部の底に水はけ穴をあけて使用するとか、切断した上部を逆様にして下部に嵌め込んで安定させて置いて使用するとか、ペットボトルを横置きにして上面になるペットボトルの側面に植え込み用の開口をあけて使用するというような手段が一般的であった。また、特開２００４−２４８７５８号公報に、ペットボトル支持具が開示されている。
【０００３】
しかし、切断したペットボトルの下部を利用するのは、入れる土の量が少なくなる。また、ペットボトルを横置きにして上面になるペットボトルの側面に植え込み用の開口をあけて使用するのは、下になるペットボトルの側面の幅が小さく安定が悪いというような欠点があった。また、上記文献特開２００４−２４８７５８号公報に開示されている支持具は、１個のペットボトル毎に適用するものであり、また、比較的に構造が複雑であるので、安価に作ることができないというような欠点があった。
【０００４】
また、植木鉢に植えた草花にペットボトルを利用して水をやる手段として、特開２０００−２８７５６４号公報、特開平１１−７５５８４号公報、登録実用新案第３０５２３３５号公報、登録実用新案第３０２６２２３号公報が開示されている。
【０００５】
しかし、上記文献に開示された手段は、それぞれ独自の支持手段をもって給水用のペットボトルを支持させる必要がある。  
【先行技術文献】
【特許文献】
【０００６】
【特許文献１】特開２００４−２４８７５８号公報
【特許文献２】特開２０００−２８７５６４号公報
【特許文献３】特開平１１−７５５８４号公報
【特許文献４】登録実用新案第３０５２３３５号公報
【特許文献５】登録実用新案第３０２６２２３号公報
【考案の概要】
【考案が解決しようとする課題】
【０００７】
解決しようとする問題点として、従来のペットボトル利用手段は、土を入れる容量が小さいとか、安定が悪いとか、比較的構造が複雑であるというような問題点があった。
【課題を解決するための手段】
【０００８】
この考案は、上記のような問題点を解決しようとするものであり、簡単な構造で、複数個（３個以上）のペットボトルを一体的になるように保持することによって、植木鉢として安定的に設置することができるペットボトル保持具を得ることにある。具体的には、底部を切除したペットボトルの胴のくびれ部を人の手指で挟んで保持するような形状の保持指部４ａを複数組（３組以上）放射状に外方に向けて形成したことを主要な特徴とする。また、このペットボトル保持具４の中心部にペットボトルの肩部が当たって止まり支持することができる形状の開穴４ｈをあけたものである。
【考案の効果】
【０００９】
この考案によるペットボトル保持具４は、極めて簡単な形状で、容易に製作することができ、底部を切除した３個以上のペットボトルの胴のくびれ部２ｎを保持指部４ａで挟んで保持するので、このペットボトル保持具４で放射状に一体的に保持された３個以上のペットボトル植木鉢２１を地面などに置けば、その口部２ｍが３本以上の足となって安定設置することができる。また、このペットボトル保持具４の中心部に開穴４ｈをあけ、その穴に底部を切除したペットボトルを逆様にして上から差し込み、肩部２ｓで支持させて設置し、このペットボトルを給水筒２２として水と所要数の毛細管布紐を入れて、その一端を各ペットボトル植木鉢２１内にたらしておけば、毛細管現象によって給水筒２２から各ペットボトル植木鉢２１へ簡単に給水させることができる。また、このペットボトル保持具４の開穴４ｈに、給水筒２２の代わりに、さらに一つのペットボトル植木鉢を挿入して設置すれば、中心部が盛り上がった斬新な植木鉢群デザインとすることができる。
【図面の簡単な説明】
【００１０】
【図１】図１はペットボトル保持具（実施例１）の使用状態を示す説明図であり、（Ａ）は側面図、（Ｂ）は平面図である。
【図２】図２はペットボトル保持具の実施例２を示す平面図である。
【図３】図３はペットボトル保持具の実施例３を示す平面図である。
【図４】図４はペットボトル保持具の実施例４を示す平面図である。
【考案を実施するための形態】
【００１１】
この考案によるペットボトル保持具４の実施形態は、ペットボトル植木鉢２１の胴のくびれ部２ｎを人の手指で挟んで保持するような形状の保持指部４ａを複数組（３組以上）放射状に外方に向けて形成したものである。また、このペットボトル保持具４の中心部に、ペットボトルを逆様にして差し込むと肩部２ｓが当たって止まり支持する形状の開穴４ｈをあけたものである。  
【実施例１】
【００１２】
図１は、この考案によるペットボトル保持具の実施例１を示し、その使用状態を示す説明図であり、（Ａ）は側面図、（Ｂ）は平面図である。図示の記号において、２１はペットボトル植木鉢、２２はペットボトル給水筒，２ｍは口部、２ｎは胴のくびれ部、２ｓは肩部、３はキャップ、４はペットボトル保持具、４ａは保持指部、４ｈは開穴である。
【００１３】
実施例１においては、図１（Ｂ）に示すように、４個のペットボトル植木鉢２１の各胴部中程にあるくびれ部２ｎをそれぞれ２本の指で挟んで保持するように形成された４組（対）の保持指部４ａが放射状に外方に向けて形成されている。また、この保持具４の中心部には、ペットボトルを逆様にして差し込むと肩部２ｓが当たって止まるような寸法形状の開穴４ｈが開けられている。
【００１４】
図１（Ｂ）に示すように、各組（対）の保持指部４ａは、その長さは胴のくびれ部２ｎの寸法と同じか少し長く、間隔は胴のくびれ部２ｎの寸法と同じか小さめに形成されており、ペットボトルの胴のくびれ部２ｎに当たる箇所は適当に丸みがつけてあり、保持指部４ａの先端の指先部４ｔには膨らみが形成されている。
【００１５】
なお、ペットボトル植木鉢２１として、飲料水用の２Ｌ（リットル）のペットボトルを利用するとすれば、保持指部４ａの内側間隔は約８ｃｍ、保持指部４ａの長さは約９ｃｍ程度となる。また、保持具４の厚さは、保持指部４ａをもってペットボトル植木鉢２１の胴のくびれ部２ｎを挟んで確実に保持させるために、材質を木製又は安価な合成樹脂製と仮定すれば、１ｃｍ程度とするのが適当である。
【００１６】
ペットボトルは柔らかくて弾力性があるが、内に土を入れて植木鉢とすれば、内部の土の圧力によって、ペットボトルが膨らまされる傾向となる。従って、図１に示すように、この保持具４の保持指部４ａで、ペットボトル植木鉢２１の胴のくびれ部２ｎを挟んで保持すれば、ペットボトル植木鉢２１内の土の圧力によって、ペットボトルの胴が保持具の保持指部４ａに圧接してペットボトル植木鉢２１が確実に保持される。なお、指先部４ｔの膨らみも、保持指部４ａによって保持されたペットボトル植木鉢２１が緩んだり外れたりするのを防止する役目を果たす。  
【００１７】
このような保持具４の機能によって、図１に示すように、保持具４を介して、底部を切除した４個のペットボトル植木鉢２１が、相互の位置及び姿勢が固定的に連結されるので、図１（Ａ）に示すように、逆様にして土を入れた４個のペットボトル植木鉢２１を保持具４で保持させて全体が一体的になったものを地面などに置けば、４個のペットボトル植木鉢２１の各口部２ｍが４本の足となり、全体を安定よく設置することができる。
【００１８】
また、図１（Ｂ）に示すように、この保持具４の中心部に開穴４ｈをあけ、この開穴４ｈに、図１（Ａ）に示すように、口部２ｍにキャップ３をねじ込み、底部を切除したペットボトル給水筒２２を、逆様にして上から差し込み、肩部２ｓが当たって止まるようにしてペットボトル給水筒２２を保持具４に支持ささ、ペットボトル給水筒２２に水と４本の毛細管布紐（図示省略）を入れて、４本の毛細管布紐の各一端部を４個のペットボトル植木鉢２１内にそれぞれ垂らすように設ければ、毛細管布紐の毛細管現象によってペットボトル給水筒２２内の水がペットボトル植木鉢２１に自動的に少しずつ注入される。なお、毛細管布紐は、木綿などの普通の線維を束ねたものでよい。
【００１９】
なお、ペットボトル給水筒２２として、飲料水用の２Ｌ（リットル）のペットボトルを利用するとすれば、開穴４ｈの直径は約８ｃｍが適当である。なお、開穴４ｈの形状は、円形でなく、ペットボトルの形状に合わせて、例えば、約８ｃｍ×約９ｃｍの長円形状としたほうがペットボトル２２を安定よく支持させることができる場合もある。
【００２０】
なお、ペットボトル給水筒２２の高さは、上になる底部の切断位置によって任意に決定することができるが、図１（Ａ）に示すように、ペットボトル給水筒２２が上方に突出しても、ペットボトル植木鉢２１に植えた草花に隠れるし、ペットボトル給水筒２２が透明であるので、美観的に全く問題はない。
【００２１】
なお、以上の説明において、この保持具４の中心部にあけた開穴４ｈには、ペットボトル給水筒２２を差し込むように記載したが、給水筒２２ではなく、更に１個のペットボトル植木鉢を挿入して設置してもよい。そうすれば、この保持具４によって一体的に連結されたペットボトル植木鉢群の全体形状は、中心部の開穴４ｈに挿入して設置したペットボトル植木鉢は比較的高い位置となり、その周囲に複数個（図１の場合は４個）のペットボトル植木鉢が配置された状態となり、面白くて斬新な配置デザインが得られる。
【実施例２】
【００２２】
図２に示す実施例２は、３個のペットボトル植木鉢２１を一体的に保持するように形成したものである。ペットボトル植木鉢２１が３個であるので、３本足となって安定的に設置することができる。形状構造や作用効果などは前記実施例１について説明したところと同様であるので省略する。なお、この保持具４の中心部に開穴４ｈをあける場合、寸法が小さくなれば小型のペットボトルを用いればよい。勿論、保持具４の保持指部４ａの配置を図より外方に移して大きな形状の開穴４ｈをあけることもできる。
【実施例３】
【００２３】
図３に示す実施例３は、５個のペットボトル植木鉢２１を一体的に保持するように形成されたものである。ペットボトル植木鉢２１が５個であるので、５本足となって安定的に設置することができる。形状構造や作用効果などは前記実施例１について説明したところと同様であるので省略する。
【実施例４】
【００２４】
図４に示す実施例４は、保持具４の保持指部４ａの中程内側、すなわち、ペットボトル植木鉢２１の胴のくびれ部２ｎに接する部分に、指凸部４ｂを形成したものである。ペットボトルの胴のくびれ部２ｎは、ペットボトルの側面中央部のみに形成されているものがあるので、この胴のくびれ部２ｎの凹みに指凸部４ｂを嵌め合わせて、ペットボトルをより確実に保持させようとするものである。
【００２５】
なお、図１（Ａ）に示すように、ペットボトル植木鉢２１で切除した底部２ｂは、ペットボトル保持具４により一体的に連結されたペットボトル植木鉢群として設置したとき、それぞれのペットボトル植木鉢２１の口部２ｍの下に挿入して置けば、ペットボトル植木鉢２１の口部２ｍから流れ出る水の受け皿として利用することができる。
【産業上の利用可能性】
【００２６】
この考案による保持具４は、簡単な形状であり、木製又は安価な合成樹脂製のものとすれば安価に実現することができ、これを市販すれば、使用済みのペットボトルを植木鉢として有効利用して、廃棄物の減少、環境の改善などに貢献することができる。
【符号の説明】
【００２７】
２１  ペットボトル植木鉢
２２  ペットボトル給水筒
２ｂ  切除底部
２ｍ  口部
２ｎ  胴のくびれ部
３    ペットボトルのキャップ
４    ペットボトル保持具
４ａ  保持指部
４ｂ  指凸部
４ｈ  開穴
４ｔ  指先端部
【図１】
0003173587.tif 000003
【図２】
0003173587.tif 000004
【図３】
0003173587.tif 000005
【図４】
0003173587.tif 000006